(57)【要約】【課題】  静圧空気軸受部に簡単な構成で圧縮空気を供給でき、かつ停電等の影響なく圧縮空気を供給できる工作機械を得る。【解決手段】  静圧気体軸受部を有する工作機械１は、静圧気体軸受部に圧縮空気を供給するためのボンベ２と、圧縮空気の圧力を調整するレギュレータ３とを有する。工作機械１は、恒温室１０内に配置されている。又、ボンベ２は交換可能である。圧縮空気供給のための電源を必要としないから、工作機械１の運転状況、停電等に関係なく、常に圧縮空気を供給することができる。軸受け部の圧力低下がないから、ゴミ等の浸入による軸受部の噛み込み障害は発生しない。ボンベ２は恒温室の温度にならされ、ゴミ等の不純物を含まないので、一定温度、一定圧力、ゴミや水分等の異物を含まない圧縮空気を提供できる。従来必要であったゴミや水分等を除去する装置、温度調整装置を必要としない。【選択図】          図２
2005231002.tif 000002
【特許請求の範囲】
【請求項１】
静圧気体軸受部を有する工作機械であって、該工作機械は前記静圧気体軸受部に管路を介して圧縮空気を供給するためのボンベと、前記静圧気体軸受部に供給される圧縮空気の圧力を調整するレギュレータとを有し、前記ボンベ、レギュレータと共に恒温室内に配置されていることを特徴とする工作機械。
【請求項２】
前記管路は分岐され、少なくとも２つ以上のボンベがそれぞれ弁を介して接続可能とされ、前記工作機械の運転状態とは無関係に前記ボンベからの圧縮気体の供給が常時行われるようにしたことを特徴とする請求項１に記載の工作機械。
【請求項３】
前記ボンベに空気以外の気体を入れ供給するようにした請求項１又は請求項２に記載の工作機械。
【発明の詳細な説明】
【技術分野】
【０００１】
本発明は、静圧気体軸受を用いた工作機械に関する。特に、工作機械の静圧気体軸受に供給する圧縮空気等の供給部を有する工作機械に関する。
【背景技術】
【０００２】
静圧気体軸受を用いた工作機械では、静圧気体軸受に圧縮された空気を供給するためにコンプレッサを必要とする。それに付随して、圧縮空気の冷却と除湿のためにドライヤ、圧縮空気温度を一定にするためのエアタンク、圧力を安定するためのレギュレータ、ある程度までの塵を除去するためのミストセパレータ、微細な塵まで除去するためのスーパーミストセパレータ、圧縮空気の油分・水分を除去するためのメンブレンドライヤを必ず設ける必要があった。
【０００３】
図１は、従来の静圧気体軸受を用いた工作機械における圧縮空気供給部を含む工作機械の説明図である。静圧気体軸受を用いた工作機械１は、精密な加工を行うものであることから、空気温度・湿度を一定に保持した恒温室１０に設置される。圧縮空気は、恒温室１０の外に設けられたコンプレッサ２０によって製造され、ドライヤ２１で該圧縮空気を冷却し除湿した後、恒温室１０内に設けられたエアタンク１１に供給され、該エアタンク１１で圧縮空気を恒温室１０の温室にならす。該エアタンク１１から供給される圧縮空気はレギュレータ１２で設定圧力に調整されて、ミストセパレータ１３に供給され、該ミストセパレータ１３である程度までの塵を除去する。さらにスーパーミストセパレータ１４で微細な塵まで除去し、メンブレンドライヤ１５で油分・水分を除去して圧力一定でクリーンになった圧縮空気を工作機械１の静圧気体軸受に供給している。なお、符号４は圧縮空気を供給する管路である。
【０００４】
また、圧縮空気を使用する工作機械において、コンプレッサを工作機械内に備え主軸モータによりベルト等の動力伝動手段を介して該コンプレッサにより、当該工作機械及び他の工作機械に圧縮空気を供給するようにしたものが公知である（特許文献１参照）。
【０００５】
【特許文献１】実開平６−３５４６号
【発明の開示】
【発明が解決しようとする課題】
【０００６】
上述したように、静圧空気軸受部を用いた工作機械においては、コンプレッサ、ドライヤ、エアタンク、レギュレータ、ミストセパレータ、スーパーミストセパレータ、メンブレンドライヤ等数多くの機器を必要とする。さらに、コンプレッサ２０とドライヤ２１は恒温室１０の外に配置されることから、恒温室１０内の工作機械とは別の電源を必要とする。また、コンプレッサやドライヤに電源が必要なため停電時に圧縮空気が遮断され静圧空気軸受部の圧力低下で該静圧空気軸受部内にゴミや油が浸入し軸受部が噛み込むという問題があった。
【０００７】
そこで、本発明の目的は、静圧空気軸受部に簡単な構成で圧縮空気を供給でき、かつ停電等の影響なく圧縮空気を供給できる工作機械を提供することにある。
【課題を解決するための手段】
【０００８】
本発明は、静圧気体軸受部を有する工作機械であって、該工作機械は前記静圧気体軸受部に管路を介して圧縮空気を供給するためのボンベと、前記静圧気体軸受部に供給される圧縮空気の圧力を調整するレギュレータとを有し、該工作機械はボンベ、レギュレータと共に恒温室内に配置されていることを特徴とするものである。前記管路は分岐され、少なくとも２つ以上のボンベがそれぞれ弁を介して接続可能とされ、前記工作機械の運転状態とは無関係に前記ボンベからの圧縮気体の供給が常時行われるようにした。なお、前記ボンベに空気以外の気体を入れ供給してもよいものである。
【発明の効果】
【０００９】
本発明は、静圧気体軸受を有する工作機械において、圧縮空気を供給する設備に電源供給が必要な設備を無くしたので、停電時や機械輸送時においても、常時圧縮空気を遮断することなく対応できるため、圧縮空気の遮断により生じていたゴミや油、水分等の静圧気体軸受への浸入での噛み込み障害を無くすことができる。
【発明を実施するための最良の形態】
【００１０】
本発明の一実施形態について詳細に説明する。  
図２は、本発明の一実施形態の工作機械の概要図である。
【００１１】
静圧気体軸受を有する工作機械１は、管路を介して圧縮空気を供給するボンベ２、さらに圧縮空気の圧力を調整するレギュレータ３を有し、恒温室１０に配設されている。この図２に示す実施形態では、管路４は分岐されて弁５，５’を介してボンベ２，２’が接続可能になっている。該ボンベ２，２’から弁５，５’を介して供給される圧縮空気はレギュレータ３で減圧され、圧力調整された後工作機械１の静圧気体軸受に供給される。
【００１２】
例えば、ボンベ２を管路４に接続し、弁５を開き、弁５’を閉じて、ボンベ２から圧縮空気を供給し、該ボンベ２に設けられているボンベ２内の空気量を示すメータによって、残量が少なくなったとき、新たなボンベ２’を他方の取り付け部である弁５’側の管路４に接続し、古いボンベ２の空気量がなくなる前に、弁５’を開き、弁５を閉じて、新しいボンベ２’より圧縮空気を供給するようにする。なお、新しいボンベ２’も予め恒温室１０内に配置しておき、恒温室１０の温度にならしておく。
【００１３】
以上のように、ボンベ２，２’から、恒温室１０の室温にならされ、レギュレータ３で減圧され、一定温度、一定圧力、ゴミ等の不純物を含まない圧縮空気が工作機械の静圧気体軸受に供給されるもので、電源供給が必要な設備はなく、そのため停電時において圧縮空気の供給が遮断されるということはなく、工作機械の運転状態に関係なく常時工作機械に圧縮空気を供給できる。圧縮空気の供給が停止することはないので、静圧気体軸受部にゴミや油の浸入による噛み込み障害を防ぐことができる。また機械輸送時においても圧縮空気を遮断することなく対応できるため、今まで圧縮空気の遮断により、静圧空気軸受部の圧力低下で該静圧空気軸受部内にゴミや油が浸入し、軸受部に噛み込み障害が発生していたのを無くすことができる。  
なお、ボンベ２，２’に充填される気体は、空気以外の気体であってもよい。
【図面の簡単な説明】
【００１４】
【図１】従来の静圧空気軸受部を用いた工作機械の概要図である。
【図２】本発明の一実施形態における静圧空気軸受部を用いた工作機械の概要図である。
【符号の説明】
【００１５】
１  工作機械
２，２’  ボンベ
３  レギュレータ
４  管路
５，５’  弁
【図１】
2005231002.tif 000003
【図２】
2005231002.tif 000004